(57)【要約】【課題】畜舎の出入り口を開放した状態において、畜舎内温度を制御可能な畜舎の開口部装置を提供することを目的とする。【解決手段】畜舎の開口部の少なくとも上部に取り付けられ、下方に向けてエアを吹き出すことによってエアカーテンを発生するダウンフロー式のエアカーテン発生装置と、前記開口部の上方および／または側方からドライミストを噴霧するドライミスト噴霧装置と、を備えたことを特徴とする。【選択図】図１
2013048584.tif 000002
【特許請求の範囲】
【請求項１】
畜舎の開口部の少なくとも上部に取り付けられ、下方に向けてエアを吹き出すことによってエアカーテンを発生するダウンフロー式のエアカーテン発生装置と、
前記開口部の上方および／または側方からドライミストを噴霧するドライミスト噴霧装置と、
を備えたことを特徴とする畜舎の開口部装置。
【請求項２】
前記畜舎内の温度を測定する畜舎内温測定手段をさらに備え、
前記ドライミスト噴霧装置が、前記畜舎内温測定手段によって測定した畜舎内温に基づいて、噴霧するドライミストの粒径を異ならせる
ことを特徴とする請求項１に記載の畜舎の開口部装置。
【請求項３】
前記ドライミスト噴霧装置が次亜塩素酸ナトリウムを含有するマイクロフォグによるドライミストを噴霧する
ことを特徴とする請求項１または２に記載の畜舎の開口部装置。
【請求項４】
前記開口部に忌避光を発光する忌避光発光装置をさらに設けた
ことを特徴とする請求項１ないし３のうちのいずれか１項に記載の畜舎の開口部装置。
【請求項５】
前記開口部に忌避音を出力する忌避音出力装置をさらに設けた
ことを特徴とする請求項１ないし４のうちのいずれか１項に記載の畜舎の開口部装置。
【発明の詳細な説明】
【技術分野】
【０００１】
本発明は畜舎の開口部装置に関し、詳しくは、開口時に畜舎内温度を制御可能な畜舎の開口部装置に関する。
【背景技術】
【０００２】
従来、畜舎においては家畜の飼育環境を向上させるよう、畜舎内の所々で温度の変化が生じないように送風機によって畜舎内の空気を攪拌して循環させることが知られていた。
【０００３】
たとえば特許文献１では、送風機によって畜舎内の空気を攪拌するとともに、畜舎の壁には、回転／非回転に連動して開／閉するシャッターを有する換気扇を設ける発明が開示されている。
【先行技術文献】
【特許文献】
【０００４】
【特許文献１】特開２００７−９３０６２号公報
【発明の概要】
【発明が解決しようとする課題】
【０００５】
ところが、例えば畜舎内の清掃や給餌などの作業においては、例えば出入口の扉をその都度開閉していたのでは効率が悪いため、作業者は出入口を開放したまま作業を行うことが多々ある。
【０００６】
こうなると、出入口の開口部によって畜舎内が外気に開放され、畜舎内温度が外気温の影響を大きく受けて変動してしまうという問題があった。
【０００７】
これに対して、特許文献１に記載の発明では、換気扇を回転していないときにはシャッターを閉じることが記載されているのみであって、例えば出入口のような開放したままにしておく開口部については、考慮していないものであった。
【０００８】
本発明は、上記課題に鑑みてなされたものであり、畜舎の出入り口を開放した状態において、畜舎内温度を制御可能な畜舎の開口部装置を提供することを目的とする。
【課題を解決するための手段】
【０００９】
上記課題を解決するために、本発明は、畜舎の開口部の少なくとも上部に取り付けられ、下方に向けてエアを吹き出すことによってエアカーテンを発生するダウンフロー式のエアカーテン発生装置と、前記開口部の上方および／または側方からドライミストを噴霧するドライミスト噴霧装置と、を備えたことを特徴とする。
【００１０】
また本発明は、前記畜舎内の温度を測定する畜舎内温測定手段をさらに備え、前記ドライミスト噴霧装置が、前記畜舎内温測定手段によって測定した畜舎内温に基づいて、噴霧するドライミストの粒径を異ならせることを特徴とする。
【００１１】
また本発明は、前記ドライミスト噴霧装置が次亜塩素酸ナトリウムを含有するマイクロフォグによるドライミストを噴霧することを特徴とする。
【００１２】
また本発明は、前記開口部に忌避光を発光する忌避光発光装置をさらに設けたことを特徴とする。
【００１３】
また本発明は、前記開口部に忌避音を出力する忌避音出力装置をさらに設けたことを特徴とする。
【発明の効果】
【００１４】
本発明によれば、畜舎の出入り口を開放した状態において、畜舎内温度を制御可能な畜舎の開口部装置を提供することができる。
【図面の簡単な説明】
【００１５】
【図１】本発明による畜舎の開口部装置の一実施の形態を示す概略正面図である。
【発明を実施するための形態】
【００１６】
以下、本発明の実施の形態を図面に基づいて説明する。
【００１７】
図１は、本発明による畜舎の開口部装置の一実施の形態を示す概略正面図である。
【００１８】
本実施の形態の開口部装置１は、畜舎の開口部５の周囲に設けられる。
【００１９】
開口部５は、敷地４上の畜舎において、敷地４と、畜舎の壁の所定位置に建てられた左右の支柱３と、支柱３の上部同士を繋ぐ上枠２とで囲まれて形成される。
【００２０】
開口部５が設けられる畜舎は、養鶏場、養豚場、その他各種畜産場などの畜舎を対象とすることができる。開口部５には、不図示の扉等（網戸等を含む）を設けるものであってもよいし、設けないものであってもよい。
【００２１】
上枠２には、ダウンフロー式でエアカーテンを発生するエアカーテン発生装置６を設けている。エアカーテン発生装置６は下方に空気を吹き出すことによってエアカーテンを発生させる。畜舎内を定温に保ちたいとき、このエアカーテン発生装置６によって発生させたエアカーテンで開口部５を塞ぎ、畜舎内への外気の暖気流入を防止することができる。
【００２２】
また、本実施の形態では、支柱３にドライミスト噴霧装置７を設けている。ドライミスト噴霧装置７は、開口部５の各辺である、片側あるいは両側の支柱３に設けてもよいし、上枠２に設けてもよいし、開口部５の下底をなす敷地４に設けてもよい。またこれらのいずれかの組み合わせであってもよい。また、ドライミスト噴霧装置７は、開口部５の各辺の全長に亘ってドライミストを発生させるものであってもよいし、各辺の全長の一部においてドライミストを発生させるものであってもよい。
【００２３】
ここでいうドライミストは、例えば、物体に固着しないミストであって、粒径（直径）１０μｍ以下（例えば１μｍ程度）の水滴のマイクロフォグである。また、このドライミストは、開口部５を覆うように噴霧するのが望ましく、さらに、滅菌・殺菌・消毒のため、例えば次亜塩素酸ナトリウムなどの消毒液を含む液体によってマイクロフォグを形成するのが望ましい。このようにすることによって、畜舎内への害虫の進入を防ぐとともに、インフルエンザウイルス、細菌等の進入も防ぐことができる。また、これにより消臭効果も得られる。
【００２４】
ところで、ドライミスト噴霧装置７によって噴霧するドライミストの粒径は、例えば畜舎内の温度に基づいて異ならせてもよい。例えば、畜舎内の温度を測定するサーミスタ等の畜舎内温測定手段をさらに備え、ドライミスト噴霧装置７ではこの畜舎内温測定手段の測定結果を入力し、この入力結果に基づいて、噴霧するドライミストの粒径を変化させるようにようにし、ドライミストの粒径制御を行う。例えば、畜舎内の温度が高い場合にはドライミストの粒径を大きくするようにする。ドライミストの粒径は、例えば１μｍ〜５０μｍの範囲で、畜舎内の温度に基づき制御する。このようにすることにより、例えば、畜舎内の温度が高い場合にはドライミストの粒径が大きいので、その気化熱が小さい場合よりも大きく、この気化熱により畜舎内の温度を下げる効果が得られる。
【００２５】
また、本実施の形態では、支柱３および上枠２に忌避光発光装置８を設けている。忌避光発光装置８は、開口部５の各辺である、片側あるいは両側の支柱３に設けてもよいし、上枠２に設けてもよいし、開口部５の下底をなす敷地４に設けてもよい。またこれらのいずれかの組み合わせであってもよい。また、忌避光発光装置８は、指向性を持たせて、開口部５の中央や、畜舎の外部の所定位置に向けて忌避光を発光するものであってもよいし、開口部５をもれなく照らすものであってもよい。忌避光としては、例えば防虫効果を有する黄色ＬＥＤによる発光を用いることができる。すなわち忌避光発光装置８は黄色ＬＥＤである場合がある。
【００２６】
また、本実施の形態では、上枠２に忌避音出力装置９を設けている。忌避音出力装置９は、開口部５の各辺である、片側あるいは両側の支柱３に設けてもよいし、上枠２に設けてもよいし、開口部５の下底をなす敷地４に設けてもよい。またこれらのいずれかの組み合わせであってもよい。また、忌避音出力装置９は、指向性を持たせて、開口部５の中央や、畜舎の外部の所定位置に向けて忌避音を出力するものであってもよい。忌避音としては、例えば、畜舎内に進入するのを防ぎたい対象の害獣、害鳥（例えば「ひわ」などの野鳥）を捕食する捕食動物（例えば猛禽類）の鳴き声や、対象の害獣、害鳥が嫌悪する音を用いることができる。すなわち忌避音出力装置９はこれらの忌避音を出力するスピーカである場合がある。
【００２７】
例えば養鶏場に本発明を適用することによって、鳥インフルエンザウイルスを媒介する野鳥等が、養鶏場に進入するのを防ぐことができ、鳥インフルエンザから鶏を守ることができる。また、このとき、忌避音出力装置９は、飼育している鶏に向けては忌避音を出力せず、進入するのを防ぎたい対象の害獣、害鳥に向けて忌避音を出力するよう、指向性を持たせることによって、鶏を忌避音によるストレスから守ることができ、鶏を健康的に育てることができる。
【００２８】
以上、本発明を説明したが、本発明は、この説明に限定されるものではなく、本発明の趣旨を逸脱しない範囲で数々の変形および組み合わせが出来ることは勿論である。
【符号の説明】
【００２９】
１  開口部装置
２  上枠
３  支柱
４  敷地
５  開口部
６  エアカーテン発生装置
７  ドライミスト噴霧装置
８  忌避光発光装置
９  忌避音出力装置
【図１】
2013048584.tif 000003